Podtech/llm-jp-corpus-v4-ja_patent huggingface dataset:
【手続補正書】
【提出日】平成19年7月31日(2007.7.31)
【手続補正１】
【補正対象書類名】明細書
【補正対象項目名】特許請求の範囲
【補正方法】変更
【補正の内容】
【特許請求の範囲】
【請求項１】
複数の再生区間に区分けされたコンテンツを再生する再生装置であって、
前記コンテンツと、前記再生区間で再生されるデータの再生をスキップすることが許容されるか否かを示すスキップ属性情報と、前記スキップ属性情報が否であると判断された再生区間であるスキップ禁止区間で再生されるデータの代わりに再生される代替データと、前記スキップ禁止区間と対応付けられ、前記代替データを識別する代替データ識別情報と、を取得する取得手段と、
ユーザからのスキップ指示を受け付ける受付手段と、
前記スキップ属性情報を参照して、前記スキップ属性情報が否であると判断した場合には、前記代替データ識別情報を参照して、前記代替データ識別情報によって識別される代替データを再生するように制御する制御手段と、
を備えることを特徴とする再生装置。
【請求項２】
前記制御手段は、前記受付手段でスキップ指示を受け付けた場合に、前記スキップ属性情報を参照して、前記スキップ属性情報が否であると判断したときには、前記代替データ識別情報を参照して、前記代替データ識別情報によって識別される代替データを再生するように制御する
ことを特徴とする請求項１記載の再生装置。
【請求項３】
前記制御手段は、前記受付手段でスキップ指示を受け付けた場合に、現在再生している再生区間の前記スキップ属性情報を参照して、前記スキップ属性情報が否であると判断したときには、前記代替データ識別情報を参照して、前記代替データ識別情報によって識別される代替データを再生するように制御する
ことを特徴とする請求項１記載の再生装置。
【請求項４】
コンピュータが複数の再生区間に区分けしたコンテンツを再生する処理に用いられるコンテンツ付加データ構造であって、
前記コンテンツ付加データ構造は、
前記再生区間で再生されるデータの再生をスキップすることが許容されるか否かを示すスキップ属性情報と、
前記コンピュータが前記再生区間に対応する前記スキップ属性情報を参照し、前記スキップ属性情報が否であると判断した場合に、前記再生区間であるスキップ禁止区間で再生されるデータの代わりとなる代替データを再生するために前記コンピュータに参照され、前記スキップ禁止区間と対応付けられ、前記代替データを識別する代替データ識別情報と、を備える
ことを特徴とするコンテンツ付加データ構造。
【請求項５】
前記コンテンツ付加データ構造は、更に、
代替データの再生順を示す順番情報を含む
ことを特徴とする請求項４記載のコンテンツ付加データ構造。
【請求項６】
コンピュータが複数の再生区間に区分けしたコンテンツを再生する処理に用いられるコンテンツ付加データ構造を記録した記録媒体であって、
前記コンテンツ付加データ構造は、
前記再生区間で再生されるデータの再生をスキップすることが許容されるか否かを示すスキップ属性情報と、
前記コンピュータが前記再生区間に対応する前記スキップ属性情報を参照し、前記スキップ属性情報が否であると判断した場合に、前記再生区間であるスキップ禁止区間で再生されるデータの代わりとなる代替データを再生するために前記コンピュータに参照され、前記スキップ禁止区間と対応付けられ、前記代替データを識別する代替データ識別情報と、を備える
ことを特徴とする記録媒体。
【請求項７】
前記コンテンツ付加データ構造は、更に、
代替データの再生順を示す順番情報を含む
ことを特徴とする請求項６記載の記録媒体。
【請求項８】
複数の再生区間に区分けされたコンテンツを再生するコンテンツ再生方法であって、
前記コンテンツと、前記再生区間で再生されるデータの再生をスキップすることが許容されるか否かを示すスキップ属性情報と、前記スキップ属性情報が否であると判断された再生区間であるスキップ禁止区間で再生されるデータの代わりに再生される代替データと、前記スキップ禁止区間と対応付けられ、前記代替データを識別する代替データ識別情報と、を取得する取得ステップと、
ユーザからのスキップ指示を受け付ける受付ステップと、
前記スキップ属性情報を参照して、前記スキップ属性情報が否であると判断した場合には、前記代替データ識別情報を参照して、前記代替データ識別情報によって識別される代替データを再生するように制御する制御ステップと、を含む
ことを特徴とするコンテンツ再生方法。
【請求項９】
複数の再生区間に区分けされたコンテンツを再生するコンテンツ再生装置に用いられるコンピュータプログラムであって、
前記コンテンツと、前記再生区間で再生されるデータの再生をスキップすることが許容されるか否かを示すスキップ属性情報と、前記スキップ属性情報が否であると判断された再生区間であるスキップ禁止区間で再生されるデータの代わりに再生される代替データと、前記スキップ禁止区間と対応付けられ、前記代替データを識別する代替データ識別情報と、を取得する取得ステップと、
ユーザからのスキップ指示を受け付ける受付ステップと、
前記スキップ属性情報を参照して、前記スキップ属性情報が否であると判断した場合には、前記代替データ識別情報を参照して、前記代替データ識別情報によって識別される代替データを再生するように制御する制御ステップと、を含む
ことを特徴とするコンピュータプログラム。
【請求項１０】
複数の再生区間に区分けされたコンテンツをパケット単位に分割して送信するコンテンツ送信装置と、前記パケット単位に分割されたデータを受信して再生するコンテンツ受信再生装置と、を含むコンテンツ送受信システムであって、
前記コンテンツ受信再生装置は、
ユーザからのスキップ指示を受け付ける受付手段と、
前記スキップ指示を前記コンテンツ送信装置に通知する通知手段と、
を備え、
前記コンテンツ送信装置は、
前記コンテンツと、前記再生区間で再生されるデータの再生をスキップすることが許容されるか否かを示すスキップ属性情報と、前記スキップ属性情報が否であると判断された再生区間であるスキップ禁止区間で再生されるデータの代わりに再生される代替データと、前記スキップ禁止区間と対応付けられ、前記代替データを識別する代替データ識別情報と、を記憶する記憶手段と、
前記コンテンツ受信再生装置から、前記スキップ指示が通知された場合には、前記スキップ属性情報を参照して、前記スキップ属性情報が否であると判断した場合には、前記代替データ識別情報を参照して、前記代替データ識別情報によって識別される代替データを送信する送信手段と、
を備えることを特徴とするコンテンツ送受信システム。
【手続補正書】
【提出日】平成19年4月13日(2007.4.13)
【手続補正１】
【補正対象書類名】明細書
【補正対象項目名】発明の名称
【補正方法】変更
【補正の内容】
【発明の名称】固体電解質型燃料電池
【手続補正２】
【補正対象書類名】明細書
【補正対象項目名】特許請求の範囲
【補正方法】変更
【補正の内容】
【特許請求の範囲】
【請求項１】
一対の電極を備え、前記電極間に固体電解質が設けられた固体電解質型燃料電池において、
前記固体電解質が、以下の（１）または（２）で表される組成の酸化物プロトン伝導体である固体電解質型燃料電池。
（１）Ｂａ（Ｚｒ1-xＣｅx）1-yＭyＡｌzＯ3-α、（Ｍは３価の希土類元素およびＩｎの群から選ばれた１種または２種以上の元素、１＞ｘ＞０、０．３＞ｙ＞０、０．０４＞ｚ＞０、１．５＞α＞０）
（２）ＢａＺｒ1-yＭyＡｌzＯ3-α、（Ｍは３価の希土類元素およびＩｎの群から選ばれた１種または２種以上の元素、０．３＞ｙ＞０、０．０４＞ｚ＞０、１．５＞α＞０）
【請求項２】
前記固体電解質を支持する支持構造体が、樹脂材料からなる、請求項１に記載の固体電解質型燃料電池。
【請求項３】
前記酸化物プロトン伝導体の組成の前記Ｍが、Ｉｎ、Ｇｄ、ＹおよびＹｂの群から選ばれた１種また２種以上の元素からなる、請求項１または２に記載の固体電解質型燃料電池。
【請求項４】
前記電極が、白金担持カーボンからなる、請求項１または２に記載の固体電解質型燃料電池。
【請求項５】
前記電極が、微粒子白金と、前記酸化物プロトン伝導体と同成分の材料との混合物である、請求項１に記載の固体電解質型燃料電池。
【請求項６】
前記電極の両側に配置されたセパレータからなるセルを備えるとともに、前記セルを、集電体と共に囲むハウジングを備え、
前記セパレータ、前記集電体および前記ハウジングの少なくともいずれか一つを、樹脂材料、カーボン材料および金属材料の少なくともいずれか一つで構成した、請求項１記載の固体電解質型燃料電池。
【請求項７】
前記金属材料が、ステンレス鋼であって、鉄を主成分とし、２０％以下のクロム元素を含有する、請求項６に記載の固体電解質型燃料電池。
【請求項８】
前記金属材料が、ステンレス鋼であって、熱膨張係数が、９×１０-6〜１５×１０-6／Ｋである、請求項６に記載の固体電解質型燃料電池。
【手続補正３】
【補正対象書類名】明細書
【補正対象項目名】００１３
【補正方法】変更
【補正の内容】
【００１３】
すなわち、本発明の固体電解質型燃料電池は、一対の電極を備え、前記電極間に固体電解質が設けられた固体電解質型燃料電池において、前記固体電解質が、以下の（１）または（２）で表される組成の酸化物プロトン伝導体である固体電解質型燃料電池。
（１）Ｂａ（Ｚｒ1-xＣｅx）1-yＭyＡｌzＯ3-α、（Ｍは３価の希土類元素およびＩｎの群から選ばれた１種または２種以上の元素、１＞ｘ＞０、０．３＞ｙ＞０、０．０４＞ｚ＞０、１．５＞α＞０）
（２）ＢａＺｒ1-yＭyＡｌzＯ3-α、（Ｍは３価の希土類元素およびＩｎの群から選ばれた１種または２種以上の元素、０．３＞ｙ＞０、０．０４＞ｚ＞０、１．５＞α＞０）
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
【発明の実施の形態】
本発明の固体電解質型燃料電池は、一対の電極を備え、前記電極間に固体電解質が設けられた固体電解質型燃料電池において、前記固体電解質が、以下の（１）または（２）で表される組成の酸化物プロトン伝導体であり、５００℃未満の低温においても、電池出力を得ることができる。
（１）Ｂａ（Ｚｒ1-xＣｅx）1-yＭyＡｌzＯ3-α、（Ｍは３価の希土類元素およびＩｎの群から選ばれた１種または２種以上の元素、１＞ｘ＞０、０．３＞ｙ＞０、０．０４＞ｚ＞０、１．５＞α＞０）
（２）ＢａＺｒ1-yＭyＡｌzＯ3-α、（Ｍは３価の希土類元素およびＩｎの群から選ばれた１種または２種以上の元素、０．３＞ｙ＞０、０．０４＞ｚ＞０、１．５＞α＞０）
【手続補正書】
【提出日】平成19年3月23日(2007.3.23)
【手続補正１】
【補正対象書類名】明細書
【補正対象項目名】０００３
【補正方法】変更
【補正の内容】
【０００３】
実際には、回転式アノードを備えたＸ線管は、高速回転するアノードを有している。アノードは、一方の面ではカソードに対面し、他方の面では、真空密閉されているが放出されたＸ線の通過は可能な窓に対面するように配置されている。アノードの回転は、軸受で動作するロータによって駆動される。ロータは、ロータが固定接合されている回転式アノードを駆動する。しかしながら、この回転部材を均衡させようとするあらゆる試みにも拘わらず、不均衡が生じて管全体を振動させる一因となる。シャフトは両端で固定されることにより管に固定されている。従って、シャフトは片側では第一の構造すなわち管の被覆の第一の部分に固定され、他の側では第二の構造すなわち被覆の第二の部分に固定される。次いで、これら二つの構造を互いに結合する。これらの構造の結合が堅固であると、かかるアセンブリはシャフトの把持に不静定（hyperstatic）状態を招き、機械的なレベルで破壊を伴うため許容できない。この欠点を克服するために、ある程度の自由度を許容する環を用いて、シャフトの一端を原則として最も軽量で且つ／又は最も剛性の低い構造形式である構造に装着する。用いられる環は一般的には、回転かご（squirrel-cage）形状を有しており、弾力性を有するが、再利用できないのが欠点である。実際に、シャフト端部の挿入の前に環を構造に装着するときに環を圧入しなければならないため、環が変形する。さらに、環の挿入自体が、組立時にかなりの力を加えることを必要とする。
【特許文献１】米国特許第３２７１０５３号
【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
ディーゼルエンジンの排気ガス流中で生成される排気物質を削減するのに適合している排気物質削減システムであって、
前記排気ガス流を冷却するための冷却器と、
前記冷却器の下流に配置され、前記排気ガス流からＮＯｘを除去するためのＮＯｘ除去装置と、
前記ＮＯｘ除去装置の下流に配置されているヒータと、
前記ヒータの下流にあって、前記排気ガス流からディーゼル微粒子を除去するためのディーゼル微粒子フィルタと
を備え、前記ヒータは前記ディーゼル微粒子フィルタを再生させるためのフィルタ再生温度まで前記排気ガス流を加熱するためのものである、一連の流れ機器構成と、
前記冷却器と前記ヒータとに接続されている、それら冷却器及びヒータの動作を制御するための制御部と、
を備えているシステム。
【請求項２】
前記排気ガス流中に配置され、前記排気ガス流の温度を検知し、検知された温度を前記制御部に通知するのに適合した少なくとも１つのセンサを更に備える請求項１に記載の排気物質削減システム。
【請求項３】
前記検知された温度は所望の温度範囲と比較され、前記排気ガス流の温度は前記制御部と前記冷却器とによって調整される請求項２に記載の排気物質削減システム。
【請求項４】
前記冷却器を通過する前後で前記排気ガス流の温度が検知されるように、１つの前記センサが、前記排気ガス流中で、前記冷却器の前に配置され、第２の前記センサが前記冷却器の後に配置されている請求項２に記載の排気物質削減システム。
【請求項５】
前記冷却器が、前記ＮＯｘ除去装置の上流に配置された熱交換システムと、交換流路及びその交換流路と平行に流れるように配置されているバイパス流路とを備え、前記交換流路には前記制御部に接続されている熱交換器があり、前記バイパス流路には前記制御部に接続されたバイパスバルブがある、
請求項１に記載の排気物質削減システム。
【請求項６】
前記熱交換器が、前記制御部に接続された冷却剤バルブを有する、
請求項５に記載の排気物質削減システム。
【請求項７】
前記冷却器の上流に配置されている第１の温度センサと、前記冷却器と前記ＮＯｘ除去装置との間に配置されている第２の温度センサと、前記ＮＯｘ除去装置と前記ディーゼル微粒子フィルタとの間に配置されている第３の温度センサと、前記ディーゼル微粒子フィルタの下流に配置されている第４の温度センサとを有し、これらの第１乃至第４の温度センサが前記制御部に接続されている、請求項１に記載の排気物質削減システム。
【請求項８】
前記冷却器の上流にディーゼル酸化触媒を備え、そのディーゼル酸化触媒と前記冷却器との間に前記第１の温度センサが配置されている、請求項７に記載の排気物質削減システム。
【請求項９】
前記ＮＯｘ除去装置が、前記冷却器と前記ヒータとの間に配置されている選択的触媒還元装置と、その選択的触媒還元装置と前記冷却器との間に配置されている加水分解触媒と、前記選択的触媒還元装置と前記ヒータとの間に配置されているアンモニアスリップ触媒と、前記選択的触媒還元装置と前記冷却器との間に配置されて、前記排気ガス流中に尿素を導入するための尿素供給器とを備えている、請求項１に記載の排気物質削減システム。
【請求項１０】
前記一連の流れ機器構成が、前記ディーゼル微粒子フィルタの下流に消音器を備えている、請求項１に記載の排気物質削減システム。
【請求項１１】
前記冷却器の上流にあるディーゼル酸化触媒を更に備え、
前記排気ガス流は、前記冷却器を通過する前に前記ディーゼル酸化触媒を通過する請求項１に記載の排気物質削減システム。
【請求項１２】
前記ヒータは、前記ディーゼル微粒子フィルタを加熱するための、燃料を燃焼させるバーナーを含む請求項１に記載の排気物質削減システム。
【請求項１３】
粒子状物質及び排出物を含む排気ガス流を排出するディーゼルエンジン用の排気物質削減システムであって、
排出物酸化装置と、
前記排出物酸化装置の下流に配置されて、排気ガス流の温度を変えるのに適合した熱交換器と、
前記熱交換器の下流に配置されて、温度調整された排気ガス流中の排出物を化学変化させるのに適合した選択的触媒還元装置と、
排気ガス流から粒子状物質を除去するフィルタと、
前記選択的触媒還元装置の下流であって前記フィルタの上流に配置された、前記フィルタを再生させるためのヒータと、
排気ガス流中に配置され、排気ガス流の温度を検知する少なくとも１つのセンサと、
前記熱交換器及び前記ヒータと接続され、前記センサによって検知された温度に基づいて前記熱交換器及び前記ヒータの作用を制御するのに適合した制御部と
を備える排気物質削減システム。
【請求項１４】
前記選択的触媒還元装置が前記排気ガス流からＮＯｘを除去するようになっており、
前記ヒータが、前記選択的触媒還元装置と前記ディーゼル微粒子フィルタとの間に配置されて前記制御部と接続されている、燃料を燃焼させるバーナーを備えている、請求項１３に記載の排気物質削減システム。
【請求項１５】
前記センサが前記選択的触媒還元装置と前記ヒータとの間に配置されている第１の温度センサであって、このシステムがさらに、前記排出物酸化装置と前記熱交換器との間に配置されている第２の温度センサと、前記熱交換器と前記選択的触媒還元装置との間に配置されている第３の温度センサと、前記ディーゼル微粒子フィルタの下流に配置されている第４の温度センサとを有し、これらの第１乃至第４の温度センサが前記制御部に接続されている、請求項１３に記載の排気物質削減システム。
【請求項１６】
ディーゼルエンジンによって排出される排出物を削減する方法であって、
ディーゼルエンジンからの排気ガス流を生成することと、
前記排気ガス流の温度を調整することと、
温度調整された排気ガス流からＮＯｘを除去することと、
前記排気ガス流の温度を高めた下流部分で粒子状物質を酸化することと、
を含む排気物質削減方法。
【請求項１７】
前記排気ガス流の上流部分の温度を調整することが、前記排気ガス流の上流部分の温度を低下させることである、請求項１６に記載の排気物質削減方法。
【請求項１８】
前記熱交換器の上流で、
前記熱交換器とその熱交換器の下流に配置されている前記ＮＯｘ除去装置との間で、
前記ＮＯｘ除去装置とそのＮＯｘ除去装置の下流に配置されているディーゼル微粒子フィルタとの間で、及び
前記ディーゼル微粒子フィルタの下流で、
前記排気ガス流の温度を検知する、請求項１６に記載の排気物質削減方法。
【請求項１９】
前記温度を上昇させることが、前記ＮＯｘ除去装置の下流であって前記ディーゼル微粒子フィルタの上流に配置されている、燃料を燃焼させるバーナーを動作させることを含む、請求項１８に記載の排気物質削減方法。
【請求項２０】
前記熱交換器の上流の排気ガス流に含まれる排気物質を酸化することを含む、請求項１８に記載の排気物質削減方法。
【手続補正２】
【補正対象書類名】図面
【補正対象項目名】図５Ａ
【補正方法】変更
【補正の内容】
【図５Ａ】
2004316658.tif 000001
【手続補正書】
【提出日】平成19年4月13日(2007.4.13)
【手続補正１】
【補正対象書類名】明細書
【補正対象項目名】００１３
【補正方法】変更
【補正の内容】
【００１３】
しかしながら、第２段タービンノズルは、より低温の燃焼ガスを浴びるので、その冷却能力を増強するためのインピンジメント板を必要とせず、また効果的な冷却のための複雑なタービュレータ構成を必要としない。事実、第２段ノズル羽根は一般的に、第１段ノズル羽根に普通見られるフィルム冷却孔の列を必要とせず、無孔の正圧及び負圧側壁を有する。従って、好適な第２段タービンノズルを設計する際に特に問題となるのは、タービュレータ及びインピンジメント板を用いて冷却効力を最大にすることではなく、タービンノズルに必要な冷却空気量を最少にしかつ適切な逆流マージンを維持しながらタービンノズルの様々な部分の冷却をバランスさせることである。
【特許文献１】米国特許第 3369792号明細書
【特許文献２】米国特許第 4180373号明細書
【特許文献３】米国特許第 4416585号明細書
【特許文献４】米国特許第 4514144号明細書
【特許文献５】米国特許第 5232343号明細書
【特許文献６】米国特許第 4616976号明細書
【特許文献７】米国特許第 5472316号明細書
【特許文献８】米国特許第 5720431号明細書
【特許文献９】米国特許第 6089826号明細書
【特許文献１０】米国特許第6132169号明細書
【特許文献１１】イギリス特許第 2112467号明細書
【非特許文献１】GE Aircraft Engines, "CF34-3B Stage 2 Nozzle," in commercial use in U.S.A. before Mar. 2002
【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
ポンプ筐体と、
前記ポンプ筐体内に配置されて、前記ポンプ筐体内にポンピング室を画定する可動隔膜であって、前記ポンピング室が、流体が前記ポンピング室内に入るための入口と、流体を吐出させるための出口とを有する可動隔膜と、
前記可動隔膜に結合されて、前記可動隔膜を動かすように作動し、その結果、前記ポンピング室の容積を変化させる圧電変換器と、を備え、
前記圧電変換器が、前記ポンピング室内の圧力の変動を感知するように構成されたことを特徴とする圧電ポンプ。
【請求項２】
流体が前記ポンピング室から前記入口を通って流れるのを制限するように作動可能な流体弁と、
流体が前記ポンピング室内に前記出口を通って流れるのを制限するように作動可能な流れ規制部であって、前記流れ規制部が、流体の音響インピーダンスにほぼ等しい音響インピーダンスを有するため、前記流れ規制部からの音の反射が、前記流れ規制部を通過する音の伝達に比して小さい、流れ規制部と、をさらに備えることを特徴とする請求項１に記載の圧電ポンプ。
【請求項３】
前記可動隔膜が、剪断モードで変形するように構成された少なくとも１個の圧電変換器を備えることを特徴とする請求項１に記載の圧電ポンプ。
【請求項４】
前記圧電変換器が、前記圧電ポンプの下流の流体経路内で音響パルスを生成し、前記音響パルスの反射に応じて電気信号を生成するように作動可能であることを特徴とする請求項１に記載の圧電ポンプ。
【請求項５】
前記圧電変換器に電気的に結合され、音響パルスの反射に応じて生成された電気信号から流体の物理的特性を判定するための信号アナライザをさらに備えることを特徴する請求項４に記載の圧電ポンプ。
【請求項６】
前記出口に結合された流体送達管と、
各ポンピングサイクル間に、前記流体送達管から流体を除去するように構成された流体逃がし管と、をさらに備え、
前記信号アナライザが、前記ポンプの下流の流体経路内における音響パルスの反射に応じて生成された電気信号から、前記ポンプの下流にある流体経路内の流体の１つまたは複数の物理的特性を判定するように作動可能であることを特徴とする請求項５に記載の圧電ポンプ。
【請求項７】
圧電ポンプの下流にある流体経路の物理的特性を感知する方法であって、前記ポンプは、圧電変換器により駆動される可動隔膜により部分的に区画されたポンピング室を有しており、
電気励起信号を前記圧電変換器に送信して、圧電ポンプの下流にある流体経路内に音圧パルスを生成することと、
前記圧電ポンプの下流にある流体経路内の音圧パルスの反射により、前記圧電変換器で生成された電気応答信号を感知することと、
前記圧電ポンプの下流にある流体経路の物理的特性を判定するために前記電気応答信号を分析することと、を有することを特徴とする方法。
【請求項８】
請求項７に記載の方法による流体送達システムの物理的特性を測定する方法であって、
前記分析をすることが、前記励起信号の生成と前記応答信号の到着との間に経過した時間を評価することを有することを特徴とする方法。
【請求項９】
請求項７に記載の方法による流体送達システムの物理的特性を測定する方法であって、
前記分析をすることが、前記励起信号と前記応答信号との間の伝達関数を評価することと、
前記伝達関数の特性を既知の特性のデータベースと比較することと、を有することを特徴とする方法。
【請求項１０】
請求項７に記載の方法による流体送達システムの物理的特性を測定する方法であって、
前記電気応答信号に応じて前記圧電ポンプの動作を調整することをさらに有することを特徴とする方法。
【手続補正書】
【提出日】平成19年4月2日(2007.4.2)
【手続補正１】
【補正対象書類名】明細書
【補正対象項目名】０００２
【補正方法】変更
【補正の内容】
【０００２】
ガスタービン燃焼ダイナミックス又はガスタービンシステムに関する問題に対し、世界中の多くの事業部に配置された多数の従業員を抱える企業において適時に助けを得ることは重要な課題である。問題を解決するために組織内に人を配置することは、こうした企業では困難な場合がある。別の課題は、資格を有する人とその問題について検討する機会を得ることである。問題を検討するために適切な人を配置し、互いに都合の良い時間を見つける過程で、通常は、専門家とのメッセージの交換及び電話の呼び出しの間のタイムラグによる遅れが存在する。
【特許文献１】米国特許第 3750465号明細書
【特許文献２】米国特許第 4060716号明細書
【特許文献３】米国特許第 4426641号明細書
【特許文献４】米国特許第 5255208号明細書
【特許文献５】米国特許第 5552711号明細書
【特許文献６】米国特許第 5661627号明細書
【特許文献７】米国特許第 5754446号明細書
【特許文献８】米国特許第 6157310号明細書
【特許文献９】米国特許第 6285932号明細書
【特許文献１０】米国特許第 6721631号明細書
【特許文献１１】米国特許第 6738697号明細書
【非特許文献１】Corbett, `Remote Monitoring and Control of Advanced Gas Turbines`, CCEJ, Apr. 2001, pp. 1-7
【非特許文献２】Daley et al., `Adaptive Gas Turbine Control Using a Singular System Approach`, Mar. 1994, IEEE Article, pp. 687-691
【手続補正書】
【提出日】平成19年4月26日(2007.4.26)
【手続補正１】
【補正対象書類名】明細書
【補正対象項目名】特許請求の範囲
【補正方法】変更
【補正の内容】
【特許請求の範囲】
【請求項１】
吹き付け範囲を含むゲーム画像を画面に表示する表示手段と、
スプレー缶を模した形状であって、遊戯者が擬似的な吹き付けの開始の指示入力をする噴射スイッチを有するスプレー装置と、
前記画面に対して前記遊戯者が前記スプレー装置により擬似的に吹き付けるカラーを決定するカラー決定手段と、
前記遊戯者が前記スプレー装置を前記画面に接近させ擬似的な吹き付けを行った際に、前記決定したカラーを前記スプレー装置により擬似的に吹き付けている前記画面上の位置を検出する位置検出手段と、
前記遊戯者が前記吹き付け範囲に吹き付け可能な時間内に前記スプレー装置による擬似的な吹き付け操作入力を受け付けるゲーム処理を進行させ、前記位置検出手段により検出される画面上の吹き付け位置が前記吹き付け範囲内に含まれる場合に、前記カラー決定手段によって決定され、前記遊戯者が前記スプレー装置により擬似的に吹き付けた色と、前記吹き付け範囲に予め設定された色とを比較し、前記スプレー装置の吹き付けにより一致した色で占められた範囲が前記吹き付け範囲を占める割合を算出し、当該割合に応じて評価するゲーム処理を実行するゲーム処理手段と、
を備えた、ゲーム装置。
【請求項２】
前記スプレー装置は、前記遊戯者が前記スプレー装置を振ったことを検出する振り動作検出手段を備え、
前記ゲーム処理手段は、前記噴射スイッチの入力に応答してカラーを擬似的に吹き付けることができる能力を示す吹き付け能力値が前記スプレー装置に対して設定されており、前記噴射スイッチが押されている継続時間に応じて前記吹き付け能力値を減算する処理を実行すると共に、前記振り動作検出手段からの検出信号に基づいて前記遊戯者が前記スプレー装置を振った回数を算出し、前記回数に応じて決定される値を前記吹き付け能力値に加算する処理を実行する、請求項１に記載のゲーム装置。
【請求項３】
前記スプレー装置は、音を出力する音響手段をさらに備え、
前記ゲーム処理手段は、前記遊戯者による前記噴射スイッチの操作に応答して前記音響手段によりスプレー音を出力させる処理を実行する、請求項１又は請求項２に記載のゲーム装置。
【請求項４】
前記表示手段は、前記位置検出手段により検出される画面上の位置に、前記遊戯者に吹き付け位置を認識させるためのスプレーサイトを表示させ、かつ、前記噴射スイッチが押されている継続時間に応じて決定される吹きつけパターン画像に変更して表示させる、請求項１乃至請求項３のいずれかに記載のゲーム装置。
【請求項５】
前記位置検出手段は、前記噴射スイッチからの操作入力があったときに、前記画面に表示されるゲーム画像の青成分に対応した波長の光信号を前記スプレー装置に備えられた受光センサにより受光した際の、前記画面に近接した前記スプレー装置の位置を検出するものである、請求項１乃至請求項４のいずれかに記載のゲーム装置。
【請求項６】
前記表示手段により前記画面に表示されるゲーム画像は、前記吹き付け範囲にアート画像を下絵画像として重ねて構成されるものであり、
前記表示手段は、前記ゲーム処理手段による前記評価の結果に応じて、前記吹き付け範囲に下絵である前記アート画像を露出させて画面に表示するものである、請求項１乃至請求項５のいずれかに記載のゲーム装置。
【請求項７】
複数の吹き付け範囲を含むゲーム画像を画面に表示する表示手段と、
スプレー缶を模した形状であって、遊戯者が擬似的な吹き付けの開始の指示入力をするスプレー装置と、
前記画面に対して前記遊戯者が前記スプレー装置により擬似的に吹き付けるカラーを決定するカラー決定手段と、
前記遊戯者が前記スプレー装置を前記画面に接近させ擬似的な吹き付けを行った際に、擬似的に吹き付けている前記画面上の位置を検出する位置検出手段と、
前記遊戯者に擬似的な吹き付けをさせる吹き付け範囲を前記複数の吹き付け範囲から選択し、当該吹き付け範囲に吹き付けるべき色を指定する指定手段と、
前記遊戯者が前記吹き付け範囲に吹き付け可能な時間を設定し、当該時間の終了時までに前記スプレー装置による擬似的な吹き付け操作入力を受け付けるゲーム処理を実行するゲーム処理手段とを備え、
前記ゲーム処理手段は、前記指定手段により指定された前記吹き付け範囲内に、前記位置検出手段により検出される画面上の吹き付け位置が含まれる場合、前記カラー決定手段によって決定され、前記遊戯者が前記スプレー装置により擬似的に吹き付けた色と、前記指定手段により指定された色とを比較し、前記スプレー装置の吹き付けにより一致した色で占められた範囲が前記吹き付け範囲を占める割合を算出し、当該割合に応じて評価するゲーム処理を実行する、ゲーム装置。
【請求項８】
ゲーム装置本体にゲーム進行中にＢＧＭを出力するスピーカをさらに備え、
前記遊戯者が前記吹き付け範囲に吹き付け可能な時間は、前記ＢＧＭに合わせて設定されたタイミングに制限されており、
前記ゲーム処理手段は、前記タイミングまでに前記遊戯者の前記スプレー装置による吹き付け操作入力を受け付け、前記吹き付け範囲を占める割合を算出し、当該割合に応じて評価するゲーム処理を実行する、請求項１乃至請求項７のいずれかに記載のゲーム装置。
【手続補正書】
【提出日】平成19年1月23日(2007.1.23)
【手続補正１】
【補正対象書類名】明細書
【補正対象項目名】特許請求の範囲
【補正方法】変更
【補正の内容】
【特許請求の範囲】
【請求項１】結合組織タンパク質であるコラーゲン又はエラスチンに納豆菌を加えて保温することを特徴とする結合組織タンパク質の酵素的分解物の調製方法。
【請求項２】結合組織タンパク質であるコラーゲン又はエラスチンに納豆菌発酵物を加えて保温することを特徴とする結合組織タンパク質の酵素的分解物の調製方法。
【請求項３】請求項１に記載の方法によって得られた結合組織タンパク質分解物。
【請求項４】請求項１に記載の方法によって得られた結合組織タンパク質分解物を含む食品。
【請求項５】請求項１に記載の方法によって得られた結合組織タンパク質分解物を含む飲料。
【手続補正書】
【提出日】平成19年11月8日(2007.11.8)
【手続補正１】
【補正対象書類名】明細書
【補正対象項目名】特許請求の範囲
【補正方法】変更
【補正の内容】
【特許請求の範囲】
【請求項１】  少なくとも１つの非晶質酸化物マトリックスと、塩素とフッ素とを含む少なくとも２つのハロゲンと、少なくとも１つの付加金属と、第VIII族金属からの少なくとも１つの金属とを含む触媒であって、フッ素の量が、全触媒質量の少なくとも１．５重量％に相当することを特徴とする触媒。
【請求項２】  フッ素の量が、全触媒質量の多くとも２０重量％であることを特徴とする、請求項１記載の触媒。
【請求項３】  フッ素の量が、全触媒質量の１．８〜１５重量％の範囲にあることを特徴とする、請求項１または２記載の触媒。
【請求項４】  フッ素の量が、全触媒質量の２〜１０重量％の範囲にあることを特徴とする、請求項１〜３のうちのいずれか１項記載の触媒。
【請求項５】  触媒が、全質量に対して、７８〜９８．３重量％の少なくとも１つの非晶質酸化物マトリックスと、０．１〜５重量％の少なくとも１つの付加金属と、０．１〜５重量％の少なくとも１つの第VIII族金属と、０．１〜１０重量％の塩素とを含有することを特徴とする、請求項１〜４のうちのいずれか１項記載の触媒。
【請求項６】  第VIII族金属が、パラジウム、ロジウム、ニッケルおよびコバルトよりなる群の中から選ばれることを特徴とする、請求項１〜５のうちのいずれか１項記載の触媒。
【請求項７】  付加金属が、第IB族金属であることを特徴とする、請求項１〜６のうちのいずれか１項記載の触媒。
【請求項８】  第IB族金属が、金または銀であることを特徴とする、請求項７記載の触媒。
【請求項９】  付加金属が、第IIB 族金属であることを特徴とする、請求項１〜６のうちのいずれか１項記載の触媒。
【請求項１０】  第IIB 族金属が、亜鉛であることを特徴とする、請求項９記載の触媒。
【請求項１１】  付加金属が、第VIIB族金属であることを特徴とする、請求項１〜６のうちのいずれか１項記載の触媒。
【請求項１２】  第VIIB族金属が、レニウムであることを特徴とする、請求項１１記載の触媒。
【請求項１３】  非晶質酸化物マトリックスが、アルミナ、シリカおよびシリカ・アルミナから選択されることを特徴とする、請求項１〜１２のうちのいずれか１項記載の触媒。
【請求項１４】  まず非晶質酸化物マトリックスが、塩素およびフッ素と接触させられ、次いで第VIII族金属および付加金属が導入されることを特徴とする、請求項１〜１３のうちのいずれか１項記載の触媒を調製する方法。
【請求項１５】  請求項１〜１３のうちのいずれか１項記載の触媒または請求項１４の方法に従って調製された触媒の、炭化水素留分の処理への使用方法。
【請求項１６】  硫黄を含む炭化水素留分中に存在する芳香族化合物を水素化する方法における、請求項１５記載の使用方法。
【請求項１７】  液体仕込原料の単位体積当たりの水素の体積で５０／１〜２０００／１の水素／仕込原料比を伴って、１００℃〜４００℃の温度で、０．１〜３０ＭＰａの操作圧力で、時間当たりの触媒の単位体積当たりの処理される液体仕込原料の体積として表わして０．１〜２０の空間速度で行なわれる方法における、請求項１５または１６記載の使用方法。
【手続補正書】
【提出日】平成18年11月28日(2006.11.28)
【手続補正１】
【補正対象書類名】明細書
【補正対象項目名】特許請求の範囲
【補正方法】変更
【補正の内容】
【特許請求の範囲】
【請求項１】 天然有機質繊維を主原料とした有孔シートに熱による穿孔加工により多数の細孔を設けてなるフィルタエレメント。
【請求項２】 天然有機質繊維を主原料とした有孔シートに樹脂を含浸、硬化させた後、熱による穿孔加工により多数の細孔を設けてなるフィルタエレメント。
【請求項３】 天然有機質繊維を主原料とし、これをシート状の有孔シートに成形する工程と、その有孔シートの所要位置にアブレーション加工及び熱的加工をほぼ重ねて穿孔加工を施して多数の細孔を形成する工程とからなるフィルタエレメントを製造する方法。
【請求項４】 天然有機質繊維を主原料とし、これをシート状の有孔シートに成形する工程と、穿孔加工により形成された細孔周縁に加熱温度を制御することにより所要の炭素特性を有する炭化層を形成する工程とからなるフィルタエレメントを製造する方法。
【手続補正書】
【提出日】平成19年9月19日(2007.9.19)
【手続補正１】
【補正対象書類名】明細書
【補正対象項目名】特許請求の範囲
【補正方法】変更
【補正の内容】
【特許請求の範囲】
【請求項１】
物質を患者へ供給するために、患者の皮膚へ物質を導入する供給装置であって、
少なくとも１つの開口を有する上部壁と、
前記上部壁と連結し、かつ上部壁から離間して、その間に、前記物質を含有するためのレザバーを画定し、かつ複数の開口を有する底部壁と、
前記物質を前記上部壁の開口を通って、レザバーに供給するために上部壁に取り付けられた結合部材と、
底部壁の外面に結合され、かつ前記物質をレザバーから患者の皮膚内に案内するために、底部壁にある開口と連絡する複数のマイクロ針と、を備えてなる装置。
【請求項２】
前記結合部材は、ルーア・ロック・カラーである、請求項１記載の装置。
【請求項３】
前記上部壁と底部壁との間に延びて、レザバーを少なくとも２つの室に分ける少なくとも１つの内部壁を更に備え、各室は上部壁の少なくとも１つの開口及び底部壁の少なくとも１つの開口に通じている、請求項１記載の装置。
【請求項４】
上部壁の寸法より大きい寸法の軟質フィルムを更に備え、該フィルムは、下側に接着層を有し、該接着層により上部壁に取り付けられており、かつ上部壁にかぶさり、患者の皮膚に装置を付着させうる距離まで上部壁を越えて延びている、請求項１記載の装置。
【請求項５】
底部壁に取外し可能に取り付けたカバーを更に備え、該カバーがマイクロ針を内部に収納する、請求項１記載の装置。
【請求項６】
患者の皮膚に物質を投与する装置であって、
上面、下面、及び上面と下面との間に延びる開口を有する実質的に平面である基部と、
物質を基部の開口を通って案内し、かつ液原に結合するために基部の上面に取付けられた結合部材と、
基部の下面に取り付けられ、そこから延びる複数のマイクロ針と、
基部の下面に形成され、開口から外に向かって延び、マイクロ針の間に配置された複数の流路と、を備えてなる装置。
【請求項７】
前記結合部材は、ルーア・ロック・カラーである、請求項６記載の装置。
【請求項８】
前記上面の寸法より大きい寸法を有する軟質フィルムを更に備え、該フィルムは、下側に接着層を有し、前記フィルムは、前記接着層により基部に取り付けられており、かつ基部にかぶさり、前記フィルムは、患者の皮膚に装置を付着させうる距離まで基部を越えて延在している、請求項６記載の装置。
【請求項９】
基部に取外し可能に取り付けられたカバーを更に備え、該カバーがマイクロ針を内部に収納する、請求項６記載の装置。
【請求項１０】
流路が実質的に乾燥医薬化合物を有し、該乾燥医薬化合物は溶剤又は担体を基部の開口を通って導入することにより再構成される、請求項６記載の装置。
【請求項１１】
物質を患者へ供給する供給装置であって、注射器及び複数のマイクロ針を備え、注射器は出口先端部を備えた注射器バレル及び注射器中に含まれる前記物質を計量分配するためのプランジャーを有し、マイクロ針は前記出口先端部に接続し、かつ物質を患者に供給するために、マイクロ針を通って延びる流路を有する装置。
【手続補正書】
【提出日】平成18年11月15日(2006.11.15)
【手続補正１】
【補正対象書類名】明細書
【補正対象項目名】特許請求の範囲
【補正方法】変更
【補正の内容】
【特許請求の範囲】
【請求項１】
空隙空間を間に挟んで対向配置された一対の静磁場発生部の各々が静磁場発生源を有して該空隙空間に均一磁場領域を形成し、前記均一磁場領域を間に挟んで前記静磁場発生部の内側に対向配置された一対の平板状の傾斜磁場コイル部を具備する磁気共鳴イメージング装置用磁場発生装置において、
前記傾斜磁場コイル部は、主として前記均一磁場領域に傾斜磁場を発生するための主コイルと、該主コイルが前記傾斜磁場コイル部の外側に発生する磁場をシールドするような磁場を発生させるためのシールドコイルと、両コイルの間に配された中間部材と、を有して成り、該傾斜磁場コイル部の外周端部にて前記静磁場発生部に固定されていることを特徴とする磁気共鳴イメージング装置用磁場発生装置。
【請求項２】
請求項１記載の磁気共鳴イメージング装置用磁場発生装置において、
前記傾斜磁場コイル部は、さらに該傾斜磁場コイル部の中心部にて前記静磁場発生部に固定されていることを特徴とする磁気共鳴イメージング装置用磁場発生装置。
【請求項３】
請求項１記載の磁気共鳴イメージング装置用磁場発生装置において、
前記傾斜磁場コイル部は、さらに該傾斜磁場コイル部の面に平行な方向に傾斜磁場を発生するコイルパターンの対称軸上の点にて前記静磁場発生部に固定されていることを特徴とする磁気共鳴イメージング装置用磁場発生装置。
【請求項４】
請求項１乃至３のいずれか一項に記載の磁気共鳴イメージング装置用磁場発生装置において、
前記中間部材の径は、前記主コイル及び前記シールドコイルの径よりも大きく形成されて、
前記傾斜磁場コイル部は、前記中間部材の外周端部にて前記静磁場発生部に固定されていることを特徴とする磁気共鳴イメージング装置用磁場発生装置。
【手続補正２】
【補正対象書類名】明細書
【補正対象項目名】００２３
【補正方法】変更
【補正の内容】
【００２３】
【課題を解決するための手段】
上記目的を達成するため、本発明は、空隙空間を間に挟んで対向配置された一対の静磁場発生部の各々が静磁場発生源を有して該空隙空間に均一磁場領域を形成し、前記均一磁場領域を間に挟んで前記静磁場発生部の内側に対向配置された一対の平板状の傾斜磁場コイル部を具備する磁気共鳴イメージング装置用磁場発生装置において、前記傾斜磁場コイル部は、主として前記均一磁場領域に傾斜磁場を発生するための主コイルと、該主コイルが前記傾斜磁場コイル部の外側に発生する磁場をシールドするような磁場を発生させるためのシールドコイルと、両コイルの間に配された中間部材と、を有して成り、該傾斜磁場コイル部の外周端部にて前記静磁場発生部に固定されている。
【手続補正３】
【補正対象書類名】明細書
【補正対象項目名】００２４
【補正方法】変更
【補正の内容】
【００２４】
この構成では、傾斜磁場コイル部を主コイルとシールドコイルの間に中間部材を配してコイル組立体としたことにより、主コイル、シールドコイルの各々が単独にある場合に比べて、面外方向の曲げ剛性を大幅に高めることができるため、コイル組立体の面外方向の振動を抑制することができ、傾斜コイルによる騒音を低減することができる。また、コイル組立体の低次の強制振動モードにおいて、振動振幅が大きいコイル組立体の外周端部を固定することにより、コイル組立体の振動を効果的に抑制することができる。
【手続補正４】
【補正対象書類名】明細書
【補正対象項目名】００２５
【補正方法】変更
【補正の内容】
【００２５】
本発明では更に、前記傾斜磁場コイル部は、さらに該傾斜磁場コイル部の中心部にて前記静磁場発生部に固定されている。この構成では、傾斜磁場コイル部の外周端部を固定したときに、節円モードではコイル組立体の中央部が大きく振動するので、この節円モードに対しては、振動の腹となる中央部を固定することにより、傾斜磁場コイル部の振動を効果的に抑制することができる。
【手続補正５】
【補正対象書類名】明細書
【補正対象項目名】００２６
【補正方法】変更
【補正の内容】
【００２６】
本発明では更に、前記傾斜磁場コイル部は、さらに該傾斜磁場コイル部の面に平行な方向に傾斜磁場を発生するコイルパターンの対称軸上の点にて前記静磁場発生部に固定されている。例えば、X軸方向傾斜磁場コイルのコイルパターンはX軸及びY軸を対称軸としており、この傾斜磁場コイル部ではY軸を節とする振動モードが現れ、X軸上に振動の腹が発生する。従って、X軸上の点において固定することにより、傾斜磁場コイル部の振動を効果的に抑制することができる。同様に、Y軸方向傾斜磁場コイルの振動に対しては、Y軸上の点において固定することが望ましい。以上のことから、X軸方向及びY軸方向の傾斜磁場コイルの対称軸であるX軸及びY軸上の点で傾斜磁場コイル部を固定することにより、X軸方向及びY軸方向の傾斜磁場コイル部の振動を効果的に抑制することができる。
【手続補正書】
【提出日】平成18年11月27日(2006.11.27)
【手続補正１】
【補正対象書類名】明細書
【補正対象項目名】特許請求の範囲
【補正方法】変更
【補正の内容】
【特許請求の範囲】
【請求項１】
対向配置され間に均一磁場領域を形成する静磁場発生源と、前記静磁場発生源の対向面側に均一磁場領域を挟んで対向配置されたほぼ平坦な傾斜磁場コイルを備え、前記傾斜磁場コイルは主として均一磁場領域に傾斜磁場を発生させるための主コイルと、前記主コイルの均一磁場領域と反対側に発生する磁場をシールドするための磁場を発生させ、前記主コイルと静磁場発生源との間に位置するシールドコイルとから構成される磁気共鳴イメージング装置において、
前記傾斜磁場コイルは、主コイルとシールドコイルの間に配置された中間部材と、前記主コイルまたは前記シールドコイルから生じる振動を抑制するための振動減衰材を備えたことを特徴とする磁気共鳴イメージング装置。
【手続補正２】
【補正対象書類名】明細書
【補正対象項目名】００１７
【補正方法】変更
【補正の内容】
【００１７】
【課題を解決するための手段】
上記目的を達成するため、本発明のＭＲＩ装置は、対向配置され間に均一磁場領域を形成する静磁場発生源と、前記静磁場発生源の対向面側に均一磁場領域を挟んで対向配置されたほぼ平坦な傾斜磁場コイルを備え、前記傾斜磁場コイルは主として均一磁場領域に傾斜磁場を発生させるための主コイルと、前記主コイルの均一磁場領域と反対側に発生する磁場をシールドするための磁場を発生させ、前記主コイルと静磁場発生源との間に位置するシールドコイルとから構成される磁気共鳴イメージング装置において、前記傾斜磁場コイルは、主コイルとシールドコイルの間に配置された中間部材と、前記主コイルまたは前記シールドコイルから生じる振動を抑制するための振動減衰材を備えたものである。
【手続補正書】
【提出日】平成18年11月15日(2006.11.15)
【手続補正１】
【補正対象書類名】明細書
【補正対象項目名】特許請求の範囲
【補正方法】変更
【補正の内容】
【特許請求の範囲】
【請求項１】
空隙空間を間に挟んで対向配置された一対の静磁場発生部の各々が静磁場発生源を有して該空隙空間に均一磁場領域を形成し、前記均一磁場領域を間に挟んで前記静磁場発生部の内側に対向配置された一対の平板状の傾斜磁場コイル部を具備する磁気共鳴イメージング装置用磁場発生装置において、
前記傾斜磁場コイル部は、主として前記均一磁場領域に傾斜磁場を発生するための主コイルと、該主コイルが前記傾斜磁場コイル部の外側に発生する磁場をシールドするような磁場を発生させるためのシールドコイルと、両コイルの間に配された中間部材と、を有して成り、
前記中間部材の前記均一磁場方向の厚さが、前記主コイルと前記シールドコイルの前記均一磁場方向の厚さよりも厚く形成されていることを特徴とする磁気共鳴イメージング装置用磁場発生装置。
【請求項２】 
空隙空間を間に挟んで対向配置された一対の静磁場発生部の各々が静磁場発生源を有して該空隙空間に均一磁場領域を形成し、前記均一磁場領域を間に挟んで前記静磁場発生部の内側に対向配置された一対の平板状の傾斜磁場コイル部を具備する磁気共鳴イメージング装置用磁場発生装置において、
前記傾斜磁場コイル部は、主として前記均一磁場領域に傾斜磁場を発生するための主コイルと、該主コイルが前記傾斜磁場コイル部の外側に発生する磁場をシールドするような磁場を発生させるためのシールドコイルと、両コイルの間に配された中間部材と、を有して成り、
前記中間部材は、前記主コイルと前記シールドコイルよりも剛性を持たせて形成されていることを特徴とする磁気共鳴イメージング装置用磁場発生装置。
【手続補正書】
【提出日】平成19年10月10日(2007.10.10)
【手続補正１】
【補正対象書類名】明細書
【補正対象項目名】特許請求の範囲
【補正方法】変更
【補正の内容】
【特許請求の範囲】
【請求項１】 Ｘ線システムにおいて、Ｘ線発生装置をＸ線センサに対して位置決めする方法であって、
Ｘ線画像を表すデータを含む表示画像を表示するステップと、前記表示画像上で１つの位置を選択するステップと、前記表示画像上で選択した前記位置の関数として前記Ｘ線発生装置を前記Ｘ線センサに対してシフトさせるステップと、を含むことを特徴とする方法。
【請求項２】 表示画像上で１つの位置を選択する前記ステップが、ポインティング・デバイスで前記画像を指すステップを含む請求項１に記載の方法。
【請求項３】 表示デバイスと、Ｘ線発生装置を有するガントリと、Ｘ線センサを有するテーブルと、前記表示デバイス、前記ガントリ及び前記テーブルに接続されたＸ線制御システムであって、前記センサからＸ線データを受け取り、前記データを処理してＸ線画像を形成し、前記Ｘ線画像を前記表示デバイス上に表示させ、かつ前記Ｘ線画像上で選択した１つの位置の関数として前記Ｘ線発生装置を前記Ｘ線センサに対してシフトさせるＸ線制御システムと、を備えることを特徴とするＸ線システム。
【請求項４】 前記表示デバイスがタッチスクリーンを含み、ユーザが前記タッチスクリーン上で前記画像に触れることにより前記Ｘ線画像上で選択される前記位置が指示される請求項３に記載のＸ線システム。
【請求項５】 前記Ｘ線システムがＸ線発生装置とＸ線センサと表示デバイスとを有し、
前記Ｘ線発生装置を前記Ｘ線センサに対して位置決めする方法は更に、前記センサからＸ線データを受け取るステップと、Ｘ線画像を形成するために前記Ｘ線データを処理するステップと、前記表示デバイス上に前記Ｘ線画像を表示するステップと、前記Ｘ線画像上で１つの位置を選択するステップと、前記表示画像上で選択した前記位置の関数として前記Ｘ線発生装置を前記Ｘ線センサに対してシフトさせるステップと、を含むことを特徴とする請求項１に記載の方法。
【請求項６】 Ｘ線画像上で１つの位置を選択する前記ステップが、ポインティング・デバイスで前記画像を指すステップを含む請求項５に記載の方法。
【手続補正書】
【提出日】平成18年11月29日(2006.11.29)
【手続補正１】
【補正対象書類名】明細書
【補正対象項目名】特許請求の範囲
【補正方法】変更
【補正の内容】
【特許請求の範囲】
【請求項１】
被検体に所望の傾斜磁場を印加する複数の傾斜磁場コイルと、前記複数の傾斜磁場コイルを駆動する信号を入力し、その信号波形を補正する補正手段とを有し、核磁気共鳴現象を利用して被検体の断層像を得る磁気共鳴イメージング装置において、
前記補正手段は、
前記信号波形をデジタルデータとして一時的に格納する複数のメモリと、
前記複数のメモリへのデータのライトを制御するメモリ制御手段と、
前記メモリ制御手段の出力により各メモリへのライト及び全てのメモリへのライトを切替える切替手段と、
前記メモリに格納された信号波形を用いて補正波形を生成し出力する補正信号生成手段と、
を備えたことを特徴とする磁気共鳴イメージング装置。
【手続補正２】
【補正対象書類名】明細書
【補正対象項目名】０００７
【補正方法】変更
【補正の内容】
【０００７】
【課題を解決するための手段】
前記課題達成のために、本発明のMRI装置は、被検体に所望の傾斜磁場を印加する複数の傾斜磁場コイルと、前記複数の傾斜磁場コイルを駆動する信号を入力し、その信号波形を補正する補正手段とを有し、核磁気共鳴現象を利用して被検体の断層像を得る磁気共鳴イメージング装置において、前記補正手段は、前記信号波形をデジタルデータとして一時的に格納する複数のメモリと、前記複数のメモリへのデータのライトを制御するメモリ制御手段と、前記メモリ制御手段の出力により各メモリへのライト及び全てのメモリへのライトを切替える切替手段と、前記メモリに格納された信号波形を用いて補正波形を生成し出力する補正信号生成手段と、
を備えたことを特徴とする。